(57)【要約】【課題】プライバシー上の問題点の少ないＩＭを提供する。【解決手段】サーバ装置２００に、クライアントグループデータ保存部５４０とグループ画質データ保存部５５０を設ける。サーバ装置２００の制御部５１０は、クライアントグループデータ保存部５４０とグループ画質データ保存部５５０とを参照し、一のクライアント装置から受信した画像を、配信先の他のクライアント装置の所属するグループに対応付けられた画質に変換したものを、他のクライアント装置に配信する。【選択図】図４
2007104121.tif 000002
【特許請求の範囲】
【請求項１】
サーバ装置と、通信ネットワークを介して接続される２以上のクライアント装置とから構成され、前記クライアント装置は他のクライアント装置とメッセージを交換することを特徴とするメッセージングシステムであって、
前記クライアント装置は、
該クライアント装置の使用者の存在予定位置の画像を撮像して画像データを出力する撮像手段と、
前記画像データを前記サーバ装置に送信する画像送信手段と、
前記他のクライアント装置のプレゼンス情報を受信して、出力するプレゼンス情報受信出力手段と、
クライアント装置の使用者の指示にしたがって、前記他のクライアント装置とメッセージを送受信するメッセージ送受信手段と、
から構成され、
前記サーバ装置は、
前記クライアント装置から画像データを受信する画像受信手段と、
前記クライアント装置を特定する情報と、当該クライアント装置が所属するグループを特定する情報とを対応付けたクライアントグループデータを保存するクライアントグループ保存手段と、
前記グループを特定する情報と、前記グループに対応付けられる前記クライアント装置に送信する画像の画質を対応付けたグループ画質データを保存するグループ画質保存手段と、
前記クライアントグループデータと前記グループ画質データとを参照し、一のクライアントに対応付けられているグループに対応付けられた画質で、前記画像データをプレゼンス情報として一のクライアント装置に送信する画像送信手段と、
から構成されることを特徴とするメッセージングシステム。
【請求項２】
前記サーバ装置は、前記クライアントグループデータの内容を変更し、一のクライアント装置が所属するグループを変更するグループ変更手段をさらに備えることを特徴とする請求項１に記載のメッセージングシステム。
【請求項３】
前記サーバ装置は、前記グループ画質データの内容を変更し、当該グループに所属するクライアント装置に送信する画像の画質を変更する画質変更手段をさらに備えることを特徴とする請求項１または２に記載のメッセージングシステム。
【請求項４】
通信ネットワークを介して接続される２以上のクライアント装置に接続されるサーバ装置であって、
前記クライアント装置から画像データを受信する画像受信手段と、
前記クライアント装置を特定する情報と、当該クライアント装置が所属するグループを特定する情報とを対応付けたクライアントグループデータを保存するクライアントグループ保存手段と、
前記グループを特定する情報と、前記グループに対応付けられる前記クライアント装置に送信する画像の画質を対応付けたグループ画質データを保存するグループ画質保存手段と、
前記クライアントグループデータと前記グループ画質データとを参照し、一のクライアントに対応付けられているグループに対応付けられた画質で、前記画像データをプレゼンス情報として一のクライアント装置に送信する画像送信手段と、
から構成されることを特徴とするサーバ装置。
【請求項５】
通信ネットワークを介して接続される２以上のクライアント装置に接続されるコンピュータに、
前記クライアント装置から画像データを受信する画像受信手順、
前記クライアント装置を特定する情報と、当該クライアント装置が所属するグループを特定する情報とを対応付けたクライアントグループデータを保存するクライアントグループ保存手順、
前記グループを特定する情報と、前記グループに対応付けられる前記クライアント装置に送信する画像の画質を対応付けたグループ画質データを保存するグループ画質保存手順、
前記クライアントグループデータと前記グループ画質データとを参照し、一のクライアントに対応付けられているグループに対応付けられた画質で、前記画像データをプレゼンス情報として一のクライアント装置に送信する画像送信手順、
を実行させることを特徴とするプログラム。
【発明の詳細な説明】
【技術分野】
【０００１】
本発明は、メッセージングシステム、サーバ装置およびプログラムに関する。
【背景技術】
【０００２】
通信ネットワーク上で、メッセージの交換を行うインスタントメッセージング（ＩＭ；  Instant Messaging）サービスが知られている。ＩＭの利用者は、通信相手とのメッセージの交換の便宜のため、自らの状態を表す情報を通信相手に提示できる。この「自らの状態を表す情報」のことをプレゼンス情報という。
【０００３】
プレゼンス情報は、例えば、「在席」、「不在」、「多忙」等の自らの状態を示すテキスト情報や画像情報などがある。ＩＭの利用者は、相手方のプレゼンス情報を見て、相手の状態を判別し、メッセージを送信する。
【０００４】
従来のＩＭでは、ＩＭの利用者がプレゼンス情報を設定する必要がある。このため、ＩＭの利用者が、プレゼンス情報の更新を忘れることが多くあり、プレゼンス情報の信頼度は低い。
このような問題点を解決するため、特許文献１には、ＩＭを利用している端末にカメラとマイクとを設け、その端末の周囲を撮像した画像と音声とを相手方の端末に送信し、相手方端末でこれらをプレゼンス情報として出力するという技術が開示されている。
【特許文献１】特開２００４−２１４９３４号公報
【発明の開示】
【発明が解決しようとする課題】
【０００５】
特許文献１に開示されている技術では、ＩＭの利用者は、全ての相手に対して、同じ画像によって監視されているという抵抗や束縛を感じてしまい、ひいては、プレゼンス情報を伝えるためのカメラやマイクの利用を控えるようになってしまう。
【０００６】
本発明は、上記問題点に鑑みてなされたものであり、メッセージングシステムにおいて、適切なプレゼンス情報を簡単に提供できるようにすることを目的とする。
また、本発明は、利用者の画像をプレゼンス情報として使用する場合に、利用者に被監視感や拘束感を与えることの少ないメッセージングシステムを提供することを目的とする。
【課題を解決するための手段】
【０００７】
上記課題を解決するため、本発明の第１の観点に係るメッセージングシステムは、
サーバ装置と、通信ネットワークを介して接続される２以上のクライアント装置とから構成され、前記クライアント装置は他のクライアント装置とメッセージを交換することを特徴とするメッセージングシステムであって、
前記クライアント装置は、
該クライアント装置の使用者の存在予定位置の画像を撮像して画像データを出力する撮像手段と、
前記画像データを前記サーバ装置に送信する画像送信手段と、
前記他のクライアント装置のプレゼンス情報を受信して、出力するプレゼンス情報受信出力手段と、
クライアント装置の使用者の指示にしたがって、前記他のクライアント装置とメッセージを送受信するメッセージ送受信手段と、
から構成され、
前記サーバ装置は、
前記クライアント装置から画像データを受信する画像受信手段と、
前記クライアント装置を特定する情報と、当該クライアント装置が所属するグループを特定する情報とを対応付けたクライアントグループデータを保存するクライアントグループ保存手段と、
前記グループを特定する情報と、前記グループに対応付けられる前記クライアント装置に送信する画像の画質を対応付けたグループ画質データを保存するグループ画質保存手段と、
前記クライアントグループデータと前記グループ画質データとを参照し、一のクライアントに対応付けられているグループに対応付けられた画質で、前記画像データをプレゼンス情報として一のクライアント装置に送信する画像送信手段と、
から構成されることを特徴とする。
【０００８】
前記サーバ装置は、前記クライアントグループデータの内容を変更し、一のクライアント装置が所属するグループを変更するグループ変更手段をさらに備えることを特徴としてもよい。
【０００９】
前記サーバ装置は、前記グループ画質データの内容を変更し、当該グループに所属するクライアント装置に送信する画像の画質を変更する画質変更手段をさらに備えることを特徴としてもよい。
【００１０】
上記課題を解決するため、本発明の第２の観点に係るサーバ装置は、
通信ネットワークを介して接続される２以上のクライアント装置に接続されるサーバ装置であって、
前記クライアント装置から画像データを受信する画像受信手段と、
前記クライアント装置を特定する情報と、当該クライアント装置が所属するグループを特定する情報とを対応付けたクライアントグループデータを保存するクライアントグループ保存手段と、
前記グループを特定する情報と、前記グループに対応付けられる前記クライアント装置に送信する画像の画質を対応付けたグループ画質データを保存するグループ画質保存手段と、
前記クライアントグループデータと前記グループ画質データとを参照し、一のクライアントに対応付けられているグループに対応付けられた画質で、前記画像データをプレゼンス情報として一のクライアント装置に送信する画像送信手段と、
から構成されることを特徴とする。
【００１１】
上記課題を解決するため、本発明の第３の観点に係るプログラムは、
通信ネットワークを介して接続される２以上のクライアント装置に接続されるコンピュータに、
前記クライアント装置から画像データを受信する画像受信手順、
前記クライアント装置を特定する情報と、当該クライアント装置が所属するグループを特定する情報とを対応付けたクライアントグループデータを保存するクライアントグループ保存手順、
前記グループを特定する情報と、前記グループに対応付けられる前記クライアント装置に送信する画像の画質を対応付けたグループ画質データを保存するグループ画質保存手順、
前記クライアントグループデータと前記グループ画質データとを参照し、一のクライアントに対応付けられているグループに対応付けられた画質で、前記画像データをプレゼンス情報として一のクライアント装置に送信する画像送信手順、
を実行させることを特徴とする。
【発明の効果】
【００１２】
本発明によれば、各クライアント装置をグルーピングし、グループ毎に利用者の画像の画質を異なったものとすることができるため、適切なプレゼンス情報を提供でき、また、利用者に被監視感や拘束感を与えることを少ないものとすることができる。
【発明を実施するための最良の形態】
【００１３】
以下、本発明のメッセージングシステムの実施形態について、図面を参照して説明する。
【００１４】
図１は、本発明のメッセージングシステム１を構成するクライアント装置１００Ａ〜１００Ｎとサーバ装置２００とが、通信ネットワークＣに接続されている一例を示す図である。図１では、クライアント装置１００は３台しか表れていないが、クライアント装置１００の台数に制限はない。
【００１５】
通信ネットワークＣは、たとえば、ＴＣＰ／ＩＰ（Transmission Protocol/Internet Protocol）などの通信プロトコルに基づく通信ネットワークである。
【００１６】
図２は、クライアント装置１００の構成の一例を示す図である。クライアント装置１００は、制御部３１０と、記憶部３２０と、通信制御部３３０と、表示部３４０と、入力部３５０と、バス３９０とから構成される。制御部３１０と、記憶部３２０と、通信制御部３３０と、表示部３４０と、入力部３５０とは、バス３９０で相互に接続される。
【００１７】
制御部３１０は、たとえば、ＣＰＵ（Central Processing Unit）から構成され、記憶部３２０に記憶された動作プログラムに基づき、各部を制御する。
【００１８】
記憶部３２０は、たとえば、ＲＡＭ（Random Access Memory）やハードディスク装置から構成され、制御部３１０の動作を制御するためのオペレーティングシステム（ＯＳ；  Operating System）やアプリケーションプログラムを記憶し、制御部３１０が演算を行うためのワークエリアを提供し、データの記憶を行う。記憶部３２０に記憶されるプログラムには、たとえば、他のクライアント装置１００とメッセージをやりとりするプログラムや、後述するカメラ３５２を制御するプログラムが含まれる。
【００１９】
通信制御部３３０は、たとえば、ＮＩＣ（Network Interface Card）のような通信装置を有し、制御部３１０の制御下に、サーバ装置２００とのデータの送受信を行う。
【００２０】
表示部３４０は、たとえば、ＣＰＵ、ＤＳＰ（Digital Signal Processor）、ＶＲＡＭ（Video Random Access Memory）、音声Ｄ／Ａ（Digital/Analogue）変換器、ディスプレイ、スピーカから構成され、制御部３１０の制御下に画像データを受け付けて表示し、音声データを受け付けて放音する。
【００２１】
入力部３５０は、たとえば、ＵＳＢ（Universal Serial Bus）から構成され、接続されたキーボードやマウス等の入力デバイス３５１や、カメラ３５２が接続される。入力部３５０は、入力デバイス３５１やカメラ３５２からの入力情報を取り込み、制御部３１０に供給する。
【００２２】
入力デバイス３５１は、キーボード、マウス、入力パッドなどから構成され、他のクライアント装置１００とメッセージをやりとりする際に、メッセージや種々の指示を入力する。
【００２３】
カメラ３５２は、利用者の画像を相手のクライアント装置１００にプレゼンス情報として送信するために、利用者の存在（所在）予定領域、一般的には、クライアント装置１００の正面領域を撮影する。
カメラ３５２は、図３に示すように、レンズ４００と、撮像部４１０と、駆動機構４２０と、被写体距離測定部４３０とから構成される。
【００２４】
撮像部４１０は、たとえば、ＣＣＤ（Charge Coupled Device）等から構成され、レンズ４００からの入射光をドットマトリクスデータに変換したものを、入力部３５０を介して制御部３１０に送信する。
【００２５】
駆動機構４２０は、たとえば、ステップモータから構成され、レンズ４００の位置を、その光学軸方向に移動させる。
【００２６】
被写体距離測定部４３０は、たとえば、オートフォーカス機構により、被写体までの距離を測定する。
【００２７】
制御部３１０は、被写体に焦点が合う画像を撮像部４１０が得られるように、被写体距離測定部４３０に被写体までの距離を測定させ、測定した距離に基づき、駆動機構４２０に、被写体がレンズ４００の焦点距離に入るよう、レンズ４００の位置を移動させ、撮像部４１０が撮像した画像のデータを、通信制御部３３０を介してサーバ装置２００に送信する。
【００２８】
図４は、サーバ装置２００の構成の一例を示す図である。サーバ装置２００は、制御部５１０と、記憶部５２０と、通信制御部５３０と、クライアントグループデータ保存部５４０と、グループ画質データ保存部５５０と、バス５９０とから構成される。制御部５１０と、記憶部５２０と、通信制御部５３０と、クライアントグループデータ保存部５４０と、グループ画質データ保存部５５０とは、バス５９０で相互に接続される。
【００２９】
制御部５１０は、たとえば、ＣＰＵから構成され、記憶部５２０に記憶された動作プログラムに基づき、各部を制御する。
【００３０】
記憶部５２０は、たとえば、ＲＡＭやハードディスク装置から構成され、制御部５１０の動作を制御するためのオペレーティングシステムやアプリケーションプログラムを記憶し、制御部５１０が演算を行うためのワークエリアを提供し、データの記憶を行う。
【００３１】
記憶部５２０が記憶するプログラムには、たとえば、受け取った画像の画質を、所定の画質に変更した画像を生成する画質変更プログラムが含まれる。画質の変更方法には、たとえば、画像のトランスコード、画像のビットレートを変更しての再圧縮、画像のデータのパケットの意図的なロスを行うことが挙げられる。
【００３２】
通信制御部５３０は、たとえば、ＮＩＣのような通信装置を有し、制御部５１０の制御下に、クライアント装置１００とのデータの送受信を行う。
【００３３】
クライアントグループデータ保存部５４０は、たとえば、ハードディスクから構成され、あるクライアント装置１００が、どのグループに属しているかを保存する。
【００３４】
図５（ａ）は、クライアントグループデータ保存部５４０が記憶するデータのデータ構造の一例を示す図である。
たとえば、図５（ａ）のデータの第１エントリは、クライアント装置１００Ａは、グループαに属することを意味し、第２エントリは、クライアント装置１００Ｂが、グループβに属することを意味する。
【００３５】
グループ画質データ保存部５５０は、たとえばハードディスクから構成され、あるグループのクライアント装置１００に対して、サーバ装置２００が送信する画質のデータを保存する。
【００３６】
図５（ｂ）は、グループ画質データ保存部５５０が記憶するデータのデータ構造の一例を示す図である。
たとえば、図５（ｂ）の第１エントリは、クライアント装置１００Ａから受け取った動画像を、グループαのクライアント装置１００に対しては、横７２０ドット×縦４８０ドット、ＭＰＥＧ（Moving Picture Experts Group）−２のフォーマットで送信することを意味し、第２エントリは、クライアント装置１００Ａから受け取った動画像を、グループβのクライアント装置１００に対して、横１００ドット×縦７５ドット、ＭＰＥＧ−４のフォーマットで送信することを意味する。
【００３７】
次に、クライアント装置１００およびサーバ装置２００の画像配信時の動作を、クライアント装置１００Ａが撮像した画像をクライアント装置１００Ｂが受信する場合を例に、図７のフローチャートを用いて説明する。
なお、クライアント装置１００Ａおよびサーバ装置２００は、あらかじめ起動が完了していて、常に動作している状態であるものとする。また、サーバ装置２００は、あらかじめ起動が完了していて、常に動作している状態であるものとする。また、クライアント装置１００Ａの制御部３１０は、他の処理と変更して、サーバ装置２００に、撮像部４１０が撮像した、被写体の画像を継続して送信するものとする。
【００３８】
ユーザがクライアント装置１００Ｂのメッセージ交換機能を起動し、さらに、メッセージの交換先（相手）を指定すると、制御部３１０は、図７の処理を開始し、図６に例示する画面を表示する（ステップＳ１）。
【００３９】
図６のメッセージング画面６００は、メッセージの交換相手として、クライアント装置１００Ａと１００Ｎとが指定されているときの例である。
【００４０】
このメッセージング画面６００は、プレゼンス表示エリア６０１と、会話ウインドウ６０４と、入力ボックス６０５とを有する。
プレゼンス表示エリア６０１は、クライアント装置１００Ｂとメッセージの交換が可能となっているクライアント装置１００から送信されてくる画像（プレゼンス情報）を表示するエリアである。プレゼンス表示エリア（ウインドウ）６０１は、メッセージの交換が可能となっているクライアント装置１００の数だけ生成される。この例では、クライアント装置１００Ａと１００Ｎとの間でメッセージの交換が可能な状態となっている。このため、クライアント装置１００Ａと１００Ｎとからの画像を表示する２つのプレゼンス表示エリア６０１が形成されている。
【００４１】
なお、プレゼンス表示エリア６０１には、通常時は、クライアント装置１００のカメラ３５２が撮像した画像を所定の画質に変換したものが表示される。この例では、クライアント装置１００Ａおよび１００Ｎの利用者（カメラ５４２の撮像範囲内に存在する場合）の画像が表示される。このようにすることで、自分は相手の在不在、すなわちプレゼンスを確認することができ、また、相手は、画像によって自分のプレゼンスを通知することができる。
【００４２】
会話ウインドウ６０４は、クライアント装置１００間で交換されたメッセージを表示するエリアである。
入力ボックス６０５は、自己のメッセージを入力するエリアである。利用者は、入力デバイス３５１を操作して、ここに任意のメッセージを入力する。制御部３１０は、入力されたメッセージを会話ウインドウ６０４に表示すると共に他のクライアント装置１００宛に送信する。
【００４３】
サーバ装置２００の制御部５１０は、クライアントグループデータ保存部５４０を参照し、クライアント装置１００Ｂがどのグループに属するかを判別する（ステップＳ２）。たとえば、クライアントグループデータ保存部５４０の設定が図５（ａ）のようになっている場合、クライアント装置１００Ｂはグループβに属することが分かる。
【００４４】
続いて、サーバ装置２００の制御部５１０は、グループ画質データ保存部５５０を参照し、クライアント装置１００Ｂの属するグループに対して、クライアント装置１００Ａのカメラ３５２が撮像した被写体の画像を、どのような画質で送信するかを判別する（ステップＳ３）。たとえば、グループ画質データ保存部５５０の設定が図５（ｂ）のようになっている場合、クライアント装置１００Ｂは、グループβに属しているから、サーバ装置２００の制御部５１０は、クライアント装置１００Ａのカメラ３５２が撮像した動画像を、横１００ドット×縦７５ドット、ＭＰＥＧ−４のフォーマットで送信すると判別する。
【００４５】
ステップＳ３およびＳ４において、クライアント装置１００Ｂに対して、サーバ装置２００が送信する画像の画質が決定する。続いて、サーバ装置２００の制御部５１０は、クライアント装置１００Ａのカメラ３５２が撮像した被写体の画像を、クライアント装置１００Ｂに対して送信する画質に変換した画像を生成する（ステップＳ４）。たとえば、クライアントグループデータ保存部５４０の設定が図５（ａ）のようになっており、グループ画質データ保存部５５０の設定が図５（ｂ）のようになっている場合、サーバ装置２００の制御部５１０は、クライアント装置１００Ｂを含むグループβに送信する横１００ドット×縦７５ドット、ＭＰＥＧ−４のフォーマットの動画像を、クライアント装置１００Ａのカメラが撮像した動画像から生成する。
【００４６】
続いて、サーバ装置２００の制御部５１０は、通信制御部５３０を介して、クライアント装置１００Ｂに対し、ステップＳ４で生成した画像を送信し（ステップＳ５）、クライアント装置１００Ｂの制御部３１０は、受信した画像を再生する（ステップＳ６）。
【００４７】
以上説明したように、本発明に係るメッセージングシステム１は、一のクライアント装置１００の画像を、他のクライアント装置１００に対して、他のクライアント装置が属するグループに対応付けられた画質で送信する。
このような構成をとることで、一のクライアント装置１００のユーザは、一のクライアント装置１００の周囲で撮像された画像を、相手に応じて画質を変更できるので、適切なプレゼンス情報を提供し、プライバシー上の問題の少ないメッセージングシステム１を利用することができる。
【００４８】
さらに、本発明に係るメッセージングシステム１のクライアント装置１００は、サーバ装置２００に対しては、画像を送信する処理を行うだけであって、画像の画質を変更して他のクライアント装置１００に対して画像を送信する処理は、サーバ装置２００が行う。その結果、クライアント装置１００に要求される性能は小さなものとすることができる。
【００４９】
この発明は、上記実施の形態に限定されず、種々の変形及び応用が可能である。
【００５０】
サーバ装置２００のクライアントグループデータ保存部５４０の記憶内容と、グループ画質データ保存部５５０の記憶内容とは、たとえば、テキストエディタ等により、図示せぬ入力デバイスを用いて編集可能であってもよい。このような構成をとることで、一のクライアント装置１００が属するグループや、グループに対して送信する画像の画質を、ステップＳ３およびＳ４の処理において、自由に変更することが可能になる。
【００５１】
また、サーバ装置２００のクライアントグループデータ保存部５４０の記憶内容と、グループ画質データ保存部５５０の記憶内容とは、クライアント装置１００の制御部３１０が、入力デバイス３５１から入力された変更内容を、通信制御部３３０を介してサーバ装置２００の制御部５１０に送信し、その変更内容を、制御部５１０が、クライアントグループデータ保存部５４０およびグループ画質データ保存部５５０に反映させてもよい。
このような構成を採ることで、サーバ装置２００からだけではなく、クライアント装置１００からも、当該クライアント装置１００の属するグループの変更や、グループに対して送信する画像の画質を自由に変更することが可能になる。
【００５２】
上述の実施形態では、カメラ３５２は、レンズ４００と撮像部４１０との相対位置を駆動機構４２０により調整することで、鮮明画像（焦点の合っている画像）を生成したが、鮮明画像を生成する手法は任意である。例えば、レンズ４００の被写界深度を深くして、被写体の位置によらずにピントが合った状態とし、撮像部４１０の出力した鮮明な画像の画像データをプレゼンス情報として提供してもよい。
【００５３】
クライアント装置は、画像を再生できる装置であれば任意である。たとえば、パーソナルコンピュータ、携帯電話機、ＰＤＡ（Personal Digital Assistance）であってもよい。
【００５４】
また、画像の形式や内容は任意である。たとえば、ＪＰＥＧ（Joint Photographic Experts Group）の静止画像や、ＭＰＥＧ（Moving Picture Experts Group）−２、ＭＰＥＧ−４ビデオや３ＧＰＰ／３ＧＰＰ２（3rd Generation Partnership Project/3rd Generation Partnership Project 2）対応ビデオやＭｏｔｉｏｎ−ＪＰＥＧの動画像や、音声、テキスト、あるいはこれらが融合したものでもよい。
【００５５】
本発明に係るクライアント装置１００やサーバ装置２００は、専用のシステムによらず、通常のコンピュータシステムを用いて実現可能である。たとえば、上述の動作を実行するためのプログラムを、コンピュータが読みとり可能な記録媒体（フレキシブルディスク、CD-ROM、DVD-ROM等）に格納して配布し、当該プログラムをコンピュータにインストールすることにより、上述の処理を実行する、サーバ装置およびクライアント装置を構成してもよい。また、インターネット等の通信ネットワーク上のサーバ装置が有するストレージに当該プログラムを格納しておき、通常のコンピュータシステムがダウンロード等することでサーバ装置及びクライアント装置を構成してもよい。
【００５６】
また、上述の機能を、ＯＳとアプリケーションの分担、またはＯＳとアプリケーションとの協働により実現する場合などには、アプリケーション部分のみを記録媒体やストレージに格納してもよい。
【００５７】
また、搬送波にプログラムを重畳し、通信ネットワークを介して配信することも可能である。
【図面の簡単な説明】
【００５８】
【図１】メッセージングシステムの構成の一例を示す図である。
【図２】クライアント装置の構成の一例を示す図である。
【図３】カメラの構成の一例を示す図である。
【図４】サーバ装置の構成の一例を示す図である。
【図５】（ａ）は、クライアントグループデータ保存部が記憶するデータのデータ構造の一例を示す図である。（ｂ）は、グループ画質データ保存部が記憶するデータのデータ構造の一例を示す図である。
【図６】クライアント装置の表示部が表示する画面の一例を示す図である。
【図７】クライアント装置およびサーバ装置の画像配信時の動作の一例を示すフローチャートである。
【符号の説明】
【００５９】
１      メッセージングシステム
１００  クライアント装置
２００  サーバ装置
３１０  制御部
３２０  記憶部
３３０  通信制御部
３４０  表示部
３５０  入力部
３５１  入力デバイス
３５２  カメラ
３９０  バス
４００  レンズ
４１０  撮像部
４２０  駆動機構
４３０  被写体距離測定部
５１０  制御部
５２０  記憶部
５３０  通信制御部
５４０  クライアントグループデータ保存部
５５０  グループ画質データ保存部
５９０  バス
Ｃ      通信ネットワーク
【図１】
2007104121.tif 000003
【図２】
2007104121.tif 000004
【図３】
2007104121.tif 000005
【図４】
2007104121.tif 000006
【図５】
2007104121.tif 000007
【図６】
2007104121.tif 000008
【図７】
2007104121.tif 000009